(57)【要約】【課題】コンバインの脱穀選別装置において、構成を簡略化して廉価に制作できるようにすること。【解決手段】扱室１５下部の唐箕２２からの送風を受ける風選室２４に揺動選別棚２５の移送棚部２６に続けて第一選別網４０とストローラック３０を設け、第一選別網４０の下部に第一選別網４０よりも目合の小さな第二選別網３７を設け、風選室２４の下部に穀粒を受けてグレンタンク５に搬送する一番コンベア３５を設けたことを特徴とするコンバインの脱穀選別装置とする。【選択図】図３
2020065497.tif 000002
【特許請求の範囲】
【請求項１】
扱室（１５）下部の唐箕（２２）からの送風を受ける風選室（２４）に揺動選別棚（２５）の移送棚部（２６）に続けて第一選別網（４０）とストローラック（３０）を設け、前記第一選別網（４０）の下部に前記第一選別網（４０）よりも目合の小さな第二選別網（３７）を設け、前記風選室（２４）の下部に穀粒を受けてグレンタンク（５）に搬送する一番コンベア（３５）を設けたことを特徴とするコンバインの脱穀選別装置。
【請求項２】
前記第一選別網（４０）を前分割選別網（４０ａ）と前記前分割選別網（４０ａ）よりも目合の小さな後分割選別網（４０ｂ）に段差をつけて分割し、後上がり傾斜角を前記前分割選別網（４０ａ）より前記後分割選別網（４０ｂ）で大きくしたことを特徴とする請求項１に記載のコンバインの脱穀選別装置。
【請求項３】
前記第一選別網（４０）よりも目合いの小さな中間選別網（３８）を前記第一選別網（４０）の下部に設けたことを特徴とする請求項１に記載のコンバインの脱穀選別装置。
【請求項４】
前記前分割選別網（４０ａ）の下部に設ける前記中間選別網（３８）と前記後分割選別網（４０ｂ）を連結したことを特徴とする請求項３に記載のコンバインの脱穀選別装置。
【発明の詳細な説明】
【技術分野】
【０００１】
本発明は、コンバインの脱穀選別装置に関し、特に穀稈を丸ごと脱穀装置に取り込み穀粒を脱穀する汎用コンバインに適した脱穀選別装置に関する。
【背景技術】
【０００２】
汎用コンバインの脱穀選別装置として、特許文献１に記載の構成がある。この脱穀選別装置は、穀稈を脱穀する扱室の下部に揺動選別装置を設け、上部の扱胴で扱がれて扱網を通過して落下する脱穀処理物から揺動選別装置で穀稈切れや藁屑を排除しながら穀粒を取り出す。
【０００３】
この揺動選別装置は、扱胴を囲む受網下部に唐箕からの吹き上げ風を受けて揺動する揺動選別棚を設け、揺動選別棚のチャフシーブ上に第一選別網を設け、チャフシーブ下に第二選別網を設けて穀粒を下部に漏下させ一番コンベアでグレンタンクに送り揚げている。
【先行技術文献】
【特許文献】
【０００４】
【特許文献１】特開２０１８−６８１８９号公報
【発明の概要】
【発明が解決しようとする課題】
【０００５】
しかしながら、前記従来の脱穀選別装置は、第一選別網と揺動選別棚と第二選別網の三段構成で脱穀処理物から穀粒を選別するが、特に揺動選別棚のチャフシーブは構造が複雑である。
【０００６】
本発明は、上記従来のコンバインの脱穀選別装置のこの様な課題に鑑みて、汎用型コンバインの脱穀選別装置において、構成を簡略化して廉価に制作できるようにすることを目的とする。
【課題を解決するための手段】
【０００７】
上記従来の課題は、次の技術手段により解決される。
【０００８】
請求項１の発明は、扱室（１５）下部の唐箕（２２）からの送風を受ける風選室（２４）に揺動選別棚（２５）の移送棚部（２６）に続けて第一選別網（４０）とストローラック（３０）を設け、前記第一選別網（４０）の下部に前記第一選別網（４０）よりも目合の小さな第二選別網（３７）を設け、前記風選室（２４）の下部に穀粒を受けてグレンタンク（５）に搬送する一番コンベア（３５）を設けたことを特徴とするコンバインの脱穀選別装置とする。
【０００９】
請求項２の発明は、扱室（１５）下部の唐箕（２２）からの送風を受ける風選室（２４）に揺動選別棚（２５）の移送棚部（２６）に続けて第一選別網（４０）とストローラック（３０）を設け、前記第一選別網（４０）の下部に前記第一選別網（４０）よりも目合の小さな第二選別網（３７）を設け、前記風選室（２４）の下部に穀粒を受けてグレンタンク（５）に搬送する一番コンベア（３５）を設けたことを特徴とするコンバインの脱穀選別装置とする。
【００１０】
請求項３の発明は、前記第一選別網（４０）よりも目合いの小さな中間選別網（３８）を前記第一選別網（４０）の下部に設けたことを特徴とする請求項１に記載のコンバインの脱穀選別装置とする。
【００１１】
請求項４の発明は、前記前分割選別網（４０ａ）の下部に設ける前記中間選別網（３８）と前記後分割選別網（４０ｂ）を連結したことを特徴とする請求項３に記載のコンバインの脱穀選別装置とする。
【発明の効果】
【００１２】
請求項１の発明で、扱室１５から第一選別網４０上に落下する脱穀処理物は第一選別網４０で比較的大きな穀稈切れや藁屑が浮かされ、第二選別網３７で細かな藁屑が浮かされて唐箕２２の送風で後方へ排出され、第二選別網３７を通して漏下する穀粒が一番コンベア３５でグレンタンク５に送られるので、従来よりも簡単な選別構成でコンバインの脱穀装置が廉価に制作できる。
【００１３】
請求項２の発明で、請求項１の効果に加えて、前分割選別網４０ａで浮かされた穀稈切れや藁屑が後分割選別網４０ｂに送られ、前分割選別網４０ａと後分割選別網４０ｂの段差を通る送風の送り作用と後上がり傾斜の送り抵抗を受けて穀粒が第二選別網３７上に漏下して穀粒の収量を減らさない。
【００１４】
請求項３の発明で、請求項１の効果に加えて、前分割選別網４０ａを漏下した脱穀処理物が中間選別網３８でさらに細かな藁屑を排除されるので、第二選別網３７から漏下する穀粒に混入する藁屑が少なくなる。
【００１５】
請求項４の発明で、請求項３の効果に加えて、中間選別網３８で浮かされた藁屑が後分割選別網４０ｂに移送されて効率よく排除される。
【図面の簡単な説明】
【００１６】
【図１】コンバインの側面図である。
【図２】脱穀装置の縦断側面図である。
【図３】風選室の縦断側面図である。
【図４】別実施例の風選室の縦断側面図である。
【図５】別実施例の風選室の縦断側面図である。
【図６】別実施例の脱穀装置の縦断側面図である。
【発明を実施するための形態】
【００１７】
本発明の一実施形態を説明すると、図１はコンバインの全体図で、１はコンバインの機体フレーム、２は機体フレーム１の下方に設けた走行装置、３は機体フレーム１の上方に設けた脱穀装置、４は脱穀装置３の前側に設けた刈取装置、５は脱穀装置３の側部に設けたグレンタンク、６はグレンタンク５の前側に設けた操縦部である。
【００１８】
刈取装置４は、オーガー（図示省略）を軸装したオーガーフレーム（オーガーテーブル）１１に、リール１２と、刈刃１３を設けて構成し、オーガーフレーム１１には搬送エレベーター１４の先端を取付け、搬送エレベーター１４の基部は脱穀装置３の扱室１５に接続する。刈取装置４は、搬送エレベーター１４と共に、刈取上下シリンダ（図示省略）により搬送エレベーター１４の基部側を回動中心にして上下するように構成している。
【００１９】
図２の如く、前記脱穀装置３の扱室１５には扱胴２０を軸装し、扱胴２０の主として下方側は扱網２１により包囲している。扱室１５の下方には唐箕２２の唐箕ケーシング２３を設ける。
【００２０】
前記扱室１５の下方には前記唐箕２２の送風により穀粒と異物とを風選する風選室２４を形成し、風選室２４内には、唐箕２２の送風方向（前後方向）に往復揺動する揺動選別棚２５を設ける。
【００２１】
揺動選別棚２５の始端部（前端部）を唐箕ケーシング２３の上方に位置させて移送棚部２６に形成する。移送棚部２６の構成は任意であるが、移送棚部２６の上面には、図示は省略するが、突起や凹凸を設けて揺動選別棚２５の移送方向下手側に扱室１５からの脱穀処理物を移送するように構成する。
【００２２】
移送棚部２６の移送方向下手側には、第一選別網４０を設けている。第一選別網４０は、図３に示す如く、目合の小さな前分割選別網４０ａと目合の大きな後分割選別網４０ｂとで構成した網体で、前分割選別網４０ａの終端下に重ねて後分割選別網４０ｂを後上がりに傾斜させて、移送方向下手側のストローラック３０へ平行に連結している。そのため、扱室１５からの脱穀処理物を前分割選別網４０ａと後分割選別網４０ｂが受け止めて、藁屑をストローラック３０から機外へ排出し、穀粒と細かい藁屑を第二選別網３７上に落下する。
【００２３】
なお、前分割選別網４０ａの前端は、移送棚部２６の終端より下げて段差を設けたり移送棚部２６の終端へ直に連結したりしても良い。
【００２４】
また、前分割選別網４０ａと後分割選別網４０ｂは第二選別網３７と略平行で、前分割選別網４０ａと後分割選別網４０ｂを後上がりに傾斜させるが、後分割選別網４０ｂの後上がり傾斜をより大きくしても良い。
【００２５】
また、図４の如く、前分割選別網４０ａを一番コンベア３５の底ガイドである一番棚先３４よりも後方へ伸ばし後分割選別網４０ｂの前端を一番棚先３４の後端上にしても良い。
【００２６】
なお、図５に示す如く、前分割選別網４０ａの下部に平行で第一選別網４０の目合よりも小さな目合の中間選別網３８を移送棚部２６後端下で風路４２より下に設けることも出来る。この場合に、前分割選別網４０ａと後分割選別網４０ｂは分離して、後分割選別網４０ｂを前分割選別網４０ａの下端に配置している。
【００２７】
また、中間選別網３８を前分割選別網４０ａよりも後上がりに傾斜させて後分割選別網４０ｂと平行にしても良い。
【００２８】
また、図６に示す如く、中間選別網３８と後分割選別網４０ｂを連結して中間選別網３８上の藁屑が後分割選別網４０ｂを通してストローラック３０上に送られるようにしても良い。
【００２９】
中間選別網３８の前端には立縁を設けて脱穀処理物が前に落ちないようにし、第二選別網３７よりも前まで伸ばしている。
【００３０】
中間選別網３８の目合は、第二選別網３７より大きく、前分割選別網４０ａと後分割選別網４０ｂより小さくする。
【００３１】
第二選別網３７の下方には一番コンベア３５を設け、一番コンベア３５の後側には二番コンベア３６を設ける。
【００３２】
揺動選別棚２５の下方に設けた唐箕２２からの選別風が通る風路４２を、第移送棚部２６の下部ガイド５１と第二選別網３７の前ガイド５２との間に設け、唐箕２２からの選別風が第二選別網３７の下方に通る中間風路４８と下側風路４９を設ける。
【００３３】
そのため、第一選別網４０と第二選別網３７から漏下する塵埃を除去しながら穀粒の選別精度を向上させることができる。
【００３４】
前記風路４２の構成は、任意であるが、本例では、移送棚部２６の底板に開口部４３を設け、開口部４３は上側風路４４の上方に臨ませる。上側風路４４は唐箕ケーシング２３の送風口４５に設けた上側導風体４６と唐箕ケーシング２３の送風口４５の上部の選別網フレームの風路ガイド５２との間に形成している。４７は上側導風体４６の下方に設けた下側導風体、４８は中間風路、４９は下側風路であり、中間風路４８と下側風路４９が合流して前記選別風路４１となる。
【００３５】
風路４２は、移送棚部２６の底板の開口部４３を上側風路４４の上方に臨ませているので、唐箕ケーシング２３の上側風路４４からの選別風が開口部４３から揺動選別棚２５の底板２５Ａ上に吹き抜けて、移送棚２６底部から選別網４０の始端部に吹き上がるように吹き抜け、第一選別網４０上の選別処理を促進させる。
【００３６】
（実施形態の作用）
走行装置２により走行し、刈取装置４で刈り取った穀稈は扱室１５に供給され、扱室１５の扱胴２０で脱穀される。
【００３７】
脱穀された脱穀物は、扱網２１より第一選別網４０を通して第二選別網３７上に落下し、揺動選別棚２５の揺動と唐箕２２からの送風により選別され、穀粒は一番コンベア３５で回収され、一番コンベア３５により回収された穀粒はグレンタンク５に貯留される。
【符号の説明】
【００３８】
５  グレンタンク
１５  扱室
２２  唐箕
２４  風選室
２５  揺動選別棚
２６  移送棚部
３０  ストローラック
３７  第二選別網
３８  中間選別網
４０  第一選別網
４０ａ  前分割選別網
４０ｂ  後分割選別網
【図１】
2020065497.tif 000003
【図２】
2020065497.tif 000004
【図３】
2020065497.tif 000005
【図４】
2020065497.tif 000006
【図５】
2020065497.tif 000007
【図６】
2020065497.tif 000008